(57)【要約】【課題】トイレ室での時間を有効活用できると共に、トイレ室内をくつろぎの空間にすることが可能なトイレ用音響発生システムを提供する。【解決手段】トイレ室に設置され、便器に付設された便座装置及びそのリモコン装置が設けられ、しかも、便座装置の収納ケースの内若しくは外に、又はリモコン装置には記録媒体に録音された音信号を含む電気信号を取り出し増幅するプレーヤが設けられ、プレーヤからの音信号を便座装置に設けられたスピーカーから音として再生する。【選択図】　図１
2004116092.tif 000002
【特許請求の範囲】
【請求項１】
トイレ室には、便器に付設された便座装置及びそのリモコン装置が設けられ、しかも、前記便座装置の収納ケースの内若しくは外に、又は前記リモコン装置には記録媒体に録音された音信号を含む電気信号を取り出し増幅するプレーヤが設けられ、該プレーヤからの音信号を前記便座装置に設けられたスピーカーから音として再生することを特徴とするトイレ用音響発生システム。
【請求項２】
請求項１記載のトイレ用音響発生システムにおいて、前記プレーヤは前記リモコン装置に設けられ、前記音信号を含む電気信号は、赤外線又は電波を介して前記便座装置内の受信機に伝えられ、該受信機から前記スピーカーに出力されることを特徴とするトイレ用音響発生システム。
【請求項３】
請求項１記載のトイレ用音響発生システムにおいて、前記プレーヤは前記便座装置の外部に配置され、前記プレーヤからの出力はプラグ及びジャックによって前記便座装置の収納ケース内に設けられたアンプに入力され、該アンプからの出力が前記スピーカーに出力されたことを特徴とするトイレ用音響発生システム。
【請求項４】
請求項１記載のトイレ用音響発生システムにおいて、前記プレーヤまたは他の電気器具への電源供給または信号出力のためのプラグを、前記収納ケースに配設したことを特徴とするトイレ用音響発生システム。
【請求項５】
トイレ室には、便器に付設された便座装置及びそのリモコン装置が設けられ、しかも、前記便座装置の収納ケース内には、記録媒体に録音された音信号を含む電気信号を取り出し増幅するプレーヤからの音を音データとして記憶するためのメモリ部が設けられ、該メモリ部からの音データを前記便座装置に設けられたスピーカーから音として再生することを特徴とするトイレ用音響発生システム。
【請求項６】
請求項１〜５のいずれか１項に記載のトイレ用音響発生システムにおいて、前記プレーヤは、カセットテーププレーヤ、ＭＤプレーヤ、ＣＤプレーヤ、及びメモリ素子を前記記録媒体にしたメモリ素子プレーヤのいずれか１からなることを特徴とするトイレ用音響発生システム。
【請求項７】
請求項１〜５のいずれか１項に記載のトイレ用音響発生システムにおいて、前記トイレ室内に設置される便器に人が使用中であることを検知する着座検出手段を備え、該着座検出手段の動作に応じて、前記再生手段が制御されることを特徴とするトイレ用音響発生システム。
【請求項８】
請求項１〜５のいずれか１項に記載のトイレ用音響発生システムにおいて、前記トイレ室内に設置される便器に人が近づいたことを検知する人体検出手段を備え、該人体検出手段の動作に応じて、前記再生手段が制御されることを特徴とするトイレ用音響発生システム。
【請求項９】
請求項１〜５のいずれか１項に記載のトイレ用音響発生システムにおいて、前記トイレ室内に人が入室したことを検知する入室検出手段を備え、該入室検出手段の動作に応じて、前記再生手段が制御されることを特徴とするトイレ用音響発生システム。
【発明の詳細な説明】
【０００１】
【発明の属する技術分野】
本発明は、トイレ室において、音響を発するトイレ用音響発生システムに関する。
【０００２】
【従来の技術】
例えば家事等を終えた主婦が休息を得る場合や、例えば会社から帰ってきた主人が１日の疲れを癒すため個人の時間を持ったりする場合、必ずしも１人でくつろぐための空間がなく、疲れを癒すことができない場合がある。
そこで、１人の時間を持つことが可能なトイレ室内に、例えば音響発生装置を設置する、あるいは持ち込むことで、トイレの使用時間を有効活用すると共に、１人でくつろぐことも可能になる。（例えば、非特許文献１）
【０００３】
【非特許文献１】
東陶機器株式会社総合カタログ２００２−２００３　Ｐ１０５　右上写真
【０００４】
【発明が解決しようとする課題】
しかし、上記したようにトイレ室内に音響発生装置を設置しようとした場合、狭いトイレにおいては音響発生装置を配置しづらいという問題がある。また、トイレ室内にコンパクトなＣＤプレーヤやＭＤプレーヤを持って入り、音楽を聴きながらリラックスすることも考えられるが、トイレを利用するたびに使用者がＣＤプレーヤやＭＤプレーヤを携帯することは面倒であり、ＣＤプレーヤやＭＤプレーヤを不注意により便器の中へ落した場合は、故障し使用できなくなる恐れもある。
本発明はかかる事情に鑑みてなされたもので、トイレ室での時間を有効活用できると共に、トイレ室内をくつろぎの空間にすることが可能なトイレ用音響発生システムを提供することを目的とする。
【０００５】
【課題を解決するための手段および作用および効果】
第１の発明に係るトイレ用音響発生システムは、トイレ室には、便器に付設された便座装置及びそのリモコン装置が設けられ、しかも、便座装置の収納ケースの内若しくは外に、又はリモコン装置には記録媒体に録音された音信号を含む電気信号を取り出し増幅するプレーヤが設けられ、プレーヤからの音信号を便座装置に設けられたスピーカーから音として再生する。このように、プレーヤを、便座装置又はリモコン装置に一体的に設けることで、使用者はトイレを使用するたびにトイレ室にプレーヤを携帯することなく、トイレの使用中に音楽を楽しむことができる。
ここで、第１の発明に係るトイレ用音響発生システムにおいて、プレーヤはリモコン装置に設けられ、音信号を含む電気信号は、赤外線又は電波を介して便座装置内の受信機に伝えられ、受信機からスピーカーに出力されることが好ましい。このように、プレーヤを便座装置のリモコン装置に設けることで、プレーヤへの記録媒体の入れ替えが容易になる。
第１の発明に係るトイレ用音響発生システムにおいて、プレーヤは便座装置の外部に配置され、プレーヤからの出力はプラグ及びジャックによって便座装置の収納ケース内に設けられたアンプに入力され、アンプからの出力がスピーカーに出力されることが好ましい。これにより、プレーヤを便座装置の外部に配置でき、しかもこのプレーヤからの出力を、便座装置に設けられたアンプを介してスピーカーから出力できるので、手持ちのプレーヤを用いてトイレ室内で音楽を楽しむことができる。
【０００６】
前記目的に沿う第２の発明に係るトイレ用音響発生システムは、トイレ室には、便器に付設された便座装置及びそのリモコン装置が設けられ、しかも、便座装置の収納ケース内には、記録媒体に録音された音信号を含む電気信号を取り出し増幅するプレーヤからの音を音データとして記憶するためのメモリ部が設けられ、メモリ部からの音データを便座装置に設けられたスピーカーから音として再生する。これにより、例えば、各人が聴きたい音楽を、プレーヤから便座装置のメモリ部に記憶させることができる。
【０００７】
第１、第２の発明に係るトイレ用音響発生システムにおいて、プレーヤは、カセットテーププレーヤ、ＭＤプレーヤ、ＣＤプレーヤ、及びメモリ素子を記録媒体にしたメモリ素子プレーヤのいずれか１からなることが好ましい。
【０００８】
第１、第２の発明に係るトイレ用音響発生システムにおいて、トイレ室内に設置される便器に人が使用中であることを検知する着座検出手段を備え、着座検出手段の動作に応じて、再生手段が制御されることが好ましい。このように、着座検出手段を設けることで、トイレの使用者が再生手段の操作を行うことなく、再生手段の制御を行うことができる。
第１の発明に係るトイレ用音響発生システムにおいて、トイレ室内に設置される便器に人が近づいたことを検知する人体検出手段を備え、人体検出手段の動作に応じて、再生手段が制御されることが好ましい。このように、人体検出手段を設けることで、トイレの使用者が再生手段の操作を行うことなく、再生手段の制御を行うことができる。
【０００９】
第１、第２の発明に係るトイレ用音響発生システムにおいて、トイレ室内に人が入室したことを検知する入室検出手段を備え、入室検出手段の動作に応じて、再生手段が制御されることが好ましい。このように、入室検出手段を設けることで、トイレの使用者が再生手段の操作を行うことなく、再生手段の制御を行うことができる。
【００１０】
請求項１及びこれに従属する請求項２、３、４、６、７、８、９記載のトイレ用音響発生システムにおいては、プレーヤを、便座装置又はリモコン装置に一体的に設けることで、使用者がトイレを使用するたびにトイレ室にプレーヤを携帯することなく、トイレの使用中に音楽を楽しむことができ、しかもプレーヤを不注意により便器の中へ落とす恐れがなくなる。従って、容易にトイレ室をリラックスすることが可能な快適な空間にできる。
【００１１】
請求項２記載のトイレ用音響発生システムにおいては、プレーヤを便座装置のリモコン装置に設けることで、プレーヤへの記録媒体の入れ替えが容易になり、入れ替え時の作業性が良好になる。
【００１２】
請求項３記載のトイレ用音響発生システムにおいては、プレーヤを便座装置の外部に配置でき、しかもこのプレーヤからの出力を、便座装置に設けられたアンプを介してスピーカーから出力できるので、手持ちのプレーヤを用いてトイレ室内で音楽を楽しむことができる。このため、新たにプレーヤを購入する必要がなく経済的である。
【００１３】
請求項４記載のトイレ用音響発生システムにおいて、プレーヤの電源供給を便座装置から受けることができるので、便座装置用と別の電源コードをトイレ室内の１００Ｖ電源供給口まで繋げる必要がなく、見た目が良好となる。また、プレーヤ以外の電気器具（例えば電動マッサージ器など）への電源供給や信号供給も可能であるので、トイレ室内において簡便に新たな機能を楽しむことができる。
【００１４】
請求項５及びこれに従属する請求項６、７、８、９記載のトイレ用音響発生システムにおいては、例えば、各人が聴きたい音楽を、プレーヤから便座装置のメモリ部に記憶させることができる。これにより、トイレ室内にプレーヤを常時配置することなく、トイレ室内で音楽を楽しむことができる。
【００１５】
請求項６記載のトイレ用音響発生システムにおいては、プレーヤとして従来使用されている各種プレーヤを使用できるので、新たなプレーヤやメモリ素子、音楽ソフトを購入することなくトイレ室内で音楽を楽しむことができ経済的である。
【００１６】
請求項７〜９記載のトイレ用音響発生システムにおいては、着座検出手段、人体検出手段または入室検知手段をそれぞれ設けることで、トイレの使用者が再生手段を操作することなく、再生手段の制御が行われ、作業性が良好になる。また、トイレの使用者の各動作により、再生手段の各操作がそれぞれ行われるので、再生手段が無駄に動作することを予め防止でき、操作性が良好であると共に経済的である。
【００１７】
【発明の実施の形態】
続いて、添付した図面を参照しつつ、本発明を具体化した実施の形態につき説明し、本発明の理解に供する。
ここに、図１〜図４はそれぞれ本発明の第１〜第４の実施の形態に係るトイレ用音響発生システムの説明図、図５は本発明の第２の実施の形態に係るトイレ用音響発生システムの内部の説明図、図６は本発明の第５の実施の形態に係るトイレ用音響発生システムの説明図、図７は本発明の第５の実施の形態に係るトイレ用音響発生システムの内部の説明図である。
【００１８】
本発明の第１の実施の形態に係るトイレ用音響発生システム４０について説明する。
図１に示すように、本発明の第１の実施の形態に係るトイレ用音響発生システム４０は、便器４１に付設された便座装置及びそのリモコン装置４２を備えたトイレ室４３に適用するものであり、リモコン装置４２に、記録媒体４４に録音された音信号を含む電気信号を取り出し増幅するプレーヤ４５が設けられたシステムである。このプレーヤ４５としては、カセットテーププレーヤ、ＭＤプレーヤ、ＣＤプレーヤ、例えばＩＣ等のメモリ素子を記録媒体にしたメモリ素子プレーヤを用いることができる。
このため、記録媒体４４は、上記したプレーヤ４５の種類に応じて、カセットテープ、ＣＤ、ＭＤ等を使用できる。なお、プレーヤ４５は、プレーヤ４５が接続された電源コード４６をトイレ室４３内に設けられた１００Ｖ電源（図示しない）に差し込み動作させることも、プレーや４５がに内蔵された電池（図示しない）によって動作させることも可能である。
【００１９】
便座装置の収納ケース４７内には、受信機及びスピーカーがそれぞれ設けられている。また、収納ケース４７の一方側の側壁には、音信号を含む電気信号を、赤外線又は電波（例えばＦＭ電波等）を介して収納ケース４７内の受信機に伝えるための受信部４８が設けられている。そして、収納ケース４７の他方側の側壁には、スピーカーから再生された音を収納ケース４７の外部に出すための多数の開口部を備えたカバー４９が設けられている。
これにより、プレーヤ４５に対応した記録媒体４４を、プレーヤ４５に入れた後、プレーヤ４５を操作することで、トイレ室４３内に音楽を流すことが可能になる。
なお、プレーヤ４５に、予め人体検知センサ５０を設けることで、トイレ室４３へ使用者が入室した場合は、自動的に音楽をスタートさせ、トイレ室４３から使用者が退出した場合は、自動的に音楽をストップさせる制御を行うことができる。この人体検知センサ５０は、前記した人体検知センサと同様の構成である。
【００２０】
続いて、本発明の第２の実施の形態に係るトイレ用音響発生システム５５について説明する。
図２に示すように、本発明の第２の実施の形態に係るトイレ用音響発生システム５５は、便器５６に付設された便座装置及びそのリモコン装置５７を備えたトイレ室５８に適用するものであり、便座装置の収納ケース５９の外側壁に、記録媒体６０に録音された音信号を含む電気信号を取り出し増幅するプレーヤ６１が設けられたシステムである。なお、プレーヤ６１及び記録媒体６０の種類は、前記したトイレ用音響発生システム４０と同様のものを用いることができる。
【００２１】
便座装置の収納ケース５９内には、受信機及びスピーカーがそれぞれ設けられている。また、収納ケース５９の他側側壁には、スピーカーから再生された音を収納ケース５９の外部に出すための多数の開口部を備えたカバー６２が設けられている。そして、収納ケース５９の他方側上部には、音信号を含む電気信号を、赤外線、電波（例えばＦＭ電波等）を介して収納ケース５９内の受信機に伝えるためのリモコン受光部６３が設けられている。このリモコン受光部６３は、便座装置のリモコン装置５７が使用する受光部と共用になっている。なお、プレーヤ６１は、プレーヤ６１が接続された電源コードを、トイレ室５８内に設けられた１００Ｖ電源（図示しない）に差し込み動作させることも、また便座装置の電源と共用にすることも可能である。このプレーヤ６１の動作は、便座装置のリモコン装置５７に設けられた音楽用リモコン装置６４によって動作させる。
【００２２】
ここで、図５を参照しながら、トイレ用音響発生システム５５による音楽の出力方法について説明する。
プレーヤ６１に、音楽が録音された記録媒体６０である音楽ソフト６５をセットする。
音楽用リモコン装置６４を操作することで、収納ケース５９に設けられたリモコン受光部６３が電気信号を受信し、収納ケース５９内のメインコントローラ６６がプレーヤ６１のオンオフ制御（音楽のスタート及びストップ制御）を行う。なお、メインコントローラ６６への指令は、収納ケース５９内に設けられた便座装置の操作部６７の操作や、また人体検知センサ及び着座検知センサのいずれか一方又は双方からなる検知センサ６８を介して行うことも可能である。
【００２３】
プレーヤ６１からの出力は、収納ケース５９内に設けられたアンプ６９に入力され、アンプ６９からの出力が前記したスピーカー７０に出力されて、トイレ室５８内に音楽を流すことができる。ここで、収納ケース５９に音楽出力端子７１を設けることで、アンプ６９からの出力を他のスピーカー７２に出力し、このスピーカー７２から音楽を流すことも可能である。
【００２４】
なお、収納ケース５９内には、便座装置の使用方法を音声案内する音声ドライブ７３を予め設けておき、音楽再生中に、音声ドライブ７３から音声信号を出すときは、メインコントローラ６６からの指示により、音楽の音量を落す等の制御を行うことも可能である。このメインコントローラ６６は、前記した機能部１５と実質的に同様の構成である機能部７４の動作も制御している。
【００２５】
本発明の第３の実施の形態に係るトイレ用音響発生システム８０について説明するが、これはトイレ用音響発生システム５５の音楽用リモコン装置６４が無くなり、プレーヤ８１の操作部８２が、便座装置の収納ケース８３の外側壁に設けられたプレーヤ８１に備えられていること以外は、トイレ用音響発生システム５５と実質的に同様のシステムであるため、同一部材には同一の番号を付し、詳しい説明を省略する。
図３に示すように、本発明の第３の実施の形態に係るトイレ用音響発生システム８０は、便座装置の収納ケース８３の外側壁に、記録媒体６０に録音された音信号を含む電気信号を取り出し増幅するプレーヤ８１が設けられたシステムである。
このトイレ用音響発生システム８０は、収納ケース８３に設けられた人体検知センサや着座検知センサ（図示しない）を介して、プレーヤ８１のオンオフ制御（音楽のスタート及びストップ制御）を行うことが可能である。
なお、音楽の選曲等の操作は、収納ケース８３に設けられた操作部８２で行う。
【００２６】
本発明の第４の実施の形態に係るトイレ用音響発生システム８５について説明する。
図４に示すように、本発明の第４の実施の形態に係るトイレ用音響発生システム８５は、便器８６に付設された便座装置及びそのリモコン装置８７を備えたトイレ室８８に適用するものであり、便座装置の収納ケース８９の一方側の外側壁に設けられた載置部９０に、トイレ室８８に持ち込んだ記録媒体に録音された音信号を含む電気信号を取り出し増幅するプレーヤ９１を載置可能とするシステムである。
なお、プレーヤ９１及び記録媒体の種類は、トイレ用音響発生システム４０と同様のものを用いることができる。
【００２７】
便座装置の収納ケース８９内には、スピーカーが設けられている。また、収納ケース８９の一方側の側壁にはプラグ９２が設けられ、プレーヤ９１からの出力がジャックを介して収納ケース８９内に設けられたアンプに接続され、このアンプからの出力がスピーカーに出力されている。そして、収納ケース８９の他側側壁には、スピーカーから再生された音を収納ケース８９の外部に出すための多数の開口部を備えたカバー９３が設けられている。
なお、プレーヤ９１は、プレーヤ９１が接続された電源コードを、トイレ室８８内に設けられた１００Ｖ電源（図示しない）に差し込み動作させることも、また便座装置の電源と共用にすることも、またはプレーヤ９１に内蔵された電池（図示しない）によって動作させることも可能である。なお、音楽の選曲等の操作は、プレーヤ９１に設けられた操作部によって行う。
【００２８】
本発明の第５の実施の形態に係るトイレ用音響発生システム９５について説明する。図６に示すように、本発明の第５の実施の形態に係るトイレ用音響発生システム９５は、便器９６に付設された便座装置及びそのリモコン装置９７を備えたトイレ室９８に適用するものであり、便座装置の収納ケース９９内には、記録媒体に録音された音信号を含む電気信号を取り出し増幅するプレーヤ１００からの音を音データとして記憶するためのフラッシュメモリ（メモリ部の一例）１０１が設けられたシステムである。なお、プレーヤ１００及び記録媒体の種類は、トイレ用音響発生システム４０と同様のものを用いることができる。
【００２９】
便座装置の収納ケース９９内にはスピーカーが設けられている。収納ケース９９の一方側の側壁には音楽入力端子であるプラグ１０２が設けられ、プレーヤ１００からの出力がイヤホンジャックを介して収納ケース９９内に設けられたフラッシュメモリ１０１に接続され、このフラッシュメモリ１０１を介してアンプからの出力がスピーカーに出力されている。そして、収納ケース９９の他側側壁には、スピーカーから再生された音を収納ケース９９の外部に出すための多数の開口部を備えたカバー１０３が設けられている。そして、収納ケース９９の他方側上部には、音信号を含む電気信号を、赤外線又は電波（例えばＦＭ電波等）を介して収納ケース９９内の受信機に伝えるためのリモコン受光部１０４が設けられている。このリモコン受光部１０４は、便座装置のリモコン装置９７が使用する受光部と共用になっている。このフラッシュメモリ１０１の動作は、便座装置のリモコン装置９７に設けられた音楽用リモコン装置１０５によって動作させる。
【００３０】
ここで、図７を参照しながら、トイレ用音響発生システム９５による音楽の出力方法について説明する。
プレーヤ１００に、記録媒体に音楽が録音された音楽ソフトをセットし、プレーヤ１００からの出力がプラグ１０２に接続されたジャックから音響ドライブ１０６に出力される。この音響ドライブ１０６は、フラッシュメモリ１０１を備えており、入力した音信号をアナログ／デジタル（Ａ／Ｄ）変換し、この変換した音データをＣＰＵで圧縮して、フラッシュメモリ１０１に記憶させるものである。ここで、フラッシュメモリ１０１には、便座装置の使用方法を音声案内する音声データを予め記憶させておき、使用者がトイレを使用する場合には、各音声ガイドを行うことが可能な構成となっている。
【００３１】
フラッシュメモリ１０１に音データを記憶させた後は、音楽用リモコン装置１０５を操作することで、収納ケース９９に設けられたリモコン受光部１０４が電気信号を受信し、収納ケース９９内のメインコントローラ１０７が音響ドライブ１０６に指令する。この指令により、フラッシュメモリ１０１に記憶された音データをＣＰＵで解凍しながらデジタル／アナログ（Ｄ／Ａ）変換する。この変換された音データは、アンプ１０８に入力され、アンプ１０８からの出力が前記したスピーカー１０９に出力されて、トイレ室９８内に音楽を流すことができる。ここで、収納ケース９９に音楽出力端子１１０を設けることで、他のスピーカー１１１から音楽を流すことも可能である。
なお、メインコントローラ１０７への指令は、収納ケース９９に設けられた便座装置の操作部１１２の操作を行ったり、また人体検知センサ及び着座検知センサのいずれか一方又は双方からなる検知センサ１１３を介して行うことも可能である。
なお、音楽再生中に、便座装置の使用方法を音声案内する音声データを流す場合は、メインコントローラ１０７からの指示により、音楽の音量を落す等の制御を行うことも可能である。このメインコントローラ１０７は、前記した機能部１５と実質的に同様の構成である機能部１１４の動作も制御している。
【００３２】
続いて、本発明の第５の実施の形態に係るトイレ用音響発生システム９５の使用方法について説明する。
まず、使用者がトイレ室９８の扉を開けてトイレ空間に入ることで、人体検知センサが検知し、予めフラッシュメモリ１０１に記憶させておいた音楽が流れる。このとき、音響ドライブ１０６により「便蓋が開きます」という音声案内が流れると共に、便蓋が開く。
次に、使用者が便座に座ることで、検知センサ１１３の着座検知センサが検知し、音響ドライブ１０６により「脱臭ファンが回り始めます」という音声案内が流れると共に、脱臭ファンが作動する。
そして、使用者が便座装置のリモコン装置９７を操作することで、その都度洗浄、乾燥等の音声案内が流れると共に、各装置が作動する。
使用者がトイレの使用を終了し、トイレ室９８から出ることで、検知センサ１１３の人体検知センサが検知し、音楽が停止する。
以上、本発明を、実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。
例えば、前記したそれぞれの実施の形態や変形例の一部又は全部を組合せて本発明のトイレ用音響発生システムを構成する場合も本発明の権利範囲に含まれる。
【図面の簡単な説明】
【図１】本発明の第１の実施の形態に係るトイレ用音響発生システムの説明図である。
【図２】本発明の第２の実施の形態に係るトイレ用音響発生システムの説明図である。
【図３】本発明の第３の実施の形態に係るトイレ用音響発生システムの説明図である。
【図４】本発明の第４の実施の形態に係るトイレ用音響発生システムの説明図である。
【図５】本発明の第２の実施の形態に係るトイレ用音響発生システムの内部の説明図である。
【図６】本発明の第５の実施の形態に係るトイレ用音響発生システムの説明図である。
【図７】本発明の第５の実施の形態に係るトイレ用音響発生システムの内部の説明図である。
【符号の説明】
４０…トイレ用音響発生システム、４１…便器、４２…リモコン装置、
４３…トイレ室、４４…記録媒体、４５…プレーヤ、４６…電源コード、
４７…収納ケース、４８…受信部、４９…カバー、
５０…人体検知センサ、５５…トイレ用音響発生システム、５６…便器、
５７…リモコン装置、５８…トイレ室、５９…収納ケース、
６０…記録媒体、６１…プレーヤ、６２…カバー、
６３…リモコン受光部、６４…音楽用リモコン装置、６５…音楽ソフト、
６６…メインコントローラ、６７…操作部、６８…検知センサ、
６９…アンプ、７０…スピーカー、７１…音楽出力端子、
７２…スピーカー、７３…音声ドライブ、７４…機能部、
８０…トイレ用音響発生システム、８１…プレーヤ、８２…操作部、
８３…収納ケース、８５…トイレ用音響発生システム、８６…便器、
８７…リモコン装置、８８…トイレ室、８９…収納ケース、
９０…載置部、９１…プレーヤ、９２…プラグ、９３…カバー、
９５…トイレ用音響発生システム、９６…便器、９７…リモコン装置、
９８…トイレ室、９９…収納ケース、１００…プレーヤ、
１０１…フラッシュメモリ（メモリ部）、１０２…プラグ、
１０３…カバー、１０４…リモコン受光部、
１０５…音楽用リモコン装置、１０６…音響ドライブ、
１０７…メインコントローラ、１０８…アンプ、１０９…スピーカー、
１１０…音楽出力端子、１１１…スピーカー、１１２…操作部、
１１３…検知センサ、１１４…機能部、１１５…リモコン装置
【図１】
2004116092.tif 000003
【図２】
2004116092.tif 000004
【図３】
2004116092.tif 000005
【図４】
2004116092.tif 000006
【図５】
2004116092.tif 000007
【図６】
2004116092.tif 000008
【図７】
2004116092.tif 000009